(57)【要約】【課題】端子部が発光領域の一辺上に存在する有機エレクトロルミネッセンス素子において、有機エレクトロルミネッセンス層を構成する各点を流れる電流の大きさの差を小さくする。【解決手段】有機エレクトロルミネッセンス素子11は、陽極13及び陰極15に有機エレクトロルミネッセンス層14が挟持され、陽極13は陰極15よりも体積抵抗率の高い物質により構成されている。陽極13及び陰極15は、有機エレクトロルミネッセンス層14に接する発光領域と、発光領域から突設された端子とを有し、各発光領域は、それぞれ、有機エレクトロルミネッセンス層14を挟んで対応する位置に、概略直線状の辺を外周に有する。陽極13及び陰極15の各端子は、それぞれ、有機エレクトロルミネッセンス層14を挟んで対応する位置にある一つの辺上に突設され、陽極13の発光領域と端子との境界の長さが、陰極15の発光領域と端子との境界の長さよりも長く形成されている。【選択図】図１
2005100916.tif 000002
【特許請求の範囲】
【請求項１】
第一電極と第二電極と、当該両電極に狭持された有機エレクトロルミネッセンス層とを有する有機エレクトロルミネッセンス素子であって、
第一電極は、第二電極を形成する物質よりも体積抵抗率が高い物質で形成され、
第一電極及び第二電極は、それぞれ、前記有機エレクトロルミネッセンス層に接する発光領域と、前記発光領域から突設された端子とを有し、
各発光領域は、それぞれ、前記有機エレクトロルミネッセンス層を挟んで対応する位置に、概略直線で構成された辺を外周に有し、
第一電極及び第二電極の各端子は、それぞれ、前記エレクトロルミネッセンス層を挟んで対応する位置にある一つの辺上に突設され、
第一電極における発光領域と端子との境界の長さが、第二電極における発光領域と端子との境界の長さよりも長いことを特徴とする有機エレクトロルミネッセンス素子。
【請求項２】
各発光領域の形状は、それぞれ概略矩形であることを特徴とする、請求項１に記載の有機エレクトロルミネッセンス素子。
【請求項３】
第一電極の端子と第二電極の端子とが、当該端子が突設された発光領域の一つの辺上において交互に配置されていることを特徴とする、請求項１又は２に記載の有機エレクトロルミネッセンス素子。
【請求項４】
前記端子が突設された発光領域の一つの辺上において、第一電極の端子が両端に配置されていることを特徴とする、請求項３に記載の有機エレクトロルミネッセンス素子。
【請求項５】
第一電極と第二電極と、当該両電極に狭持された有機エレクトロルミネッセンス層とを有する有機エレクトロルミネッセンス素子であって、
第一電極は、第二電極を形成する物質よりも体積抵抗率が高い物質で形成され、
第一電極及び第二電極は、それぞれ、前記有機エレクトロルミネッセンス層に接する発光領域と、前記発光領域から突設された端子とを有し、
第一電極における発光領域と端子との境界の長さが、第二電極における発光領域と端子との境界の長さよりも長いことを特徴とする有機エレクトロルミネッセンス素子。
【請求項６】
第一電極が陽極である、請求項１から５のいずれか一項に記載の有機エレクトロルミネッセンス素子。
【請求項７】
第一電極に補助電極が設けられている、請求項１から６のいずれか一項に記載の有機エレクトロルミネッセンス素子。
【発明の詳細な説明】
【技術分野】
【０００１】
本発明は、有機エレクトロルミネッセンス素子に関する。
【背景技術】
【０００２】
有機エレクトロルミネッセンス素子は、陽極電極、有機エレクトロルミネッセンス層及び陰極電極が積層され、一般に基板上に形成される。有機エレクトロルミネッセンス層を基準として光取出側に設けられる部材は、有機エレクトロルミネッセンス素子外部へ取り出す光に対して透過性を有するように（透明であるように）形成される。
有機エレクトロルミネッセンス素子は、陽極電極と陰極電極との間に電圧を印加されると、有機エレクトロルミネッセンス層に電流が流れて発光する。
【０００３】
このような有機エレクトロルミネッセンス素子は、当該素子が組み込まれる装置（例えば携帯端末等）の大きさが限定されるため、素子及び当該素子に接続される配線が占める体積や面積を小さくすることが要求されている。
【０００４】
また、同一の体積や面積における有効表示領域（発光する面積）を大きくすることも要求されている。
【０００５】
さらに、有機エレクトロルミネッセンス素子と、当該素子を駆動する外部駆動回路との接続を容易にすることも要求されている。製造を容易にするためである。
【０００６】
これらの要求に対し、従来、陽極の端子と陰極の端子を、有機エレクトロルミネッセンス素子の一辺側に配置することがあった（例えば、特許文献１参照。）。このような有機エレクトロルミネッセンス素子を、図５を用いて説明する。
【０００７】
上記従来の有機エレクトロルミネッセンス素子２１は、図５（ａ）に示すように、延出部２２１を有する基材（透明基板）２２上の一部にＩＴＯ（インジウム錫酸化物）からなる透明電極（陽極）２３が形成されている。透明電極２３上には、集電体２４が外部導出端子（陽極用の端子）２５を兼ねるように基材２２の延出部２２１に延出した状態で形成されている。透明電極２３及び集電体２４（外部導出端子２５を除く）上には、発光層（有機エレクトロルミネッセンス層）２６と反射絶縁層（図示せず）が順次形成されている。この上には、裏面電極（陰極電極）２７が形成されている。裏面電極２７は、その一部が外部導出端子（陰極用の端子）２５’を兼ねるように、基材２２の延出部２２１側に延出するように形成されている。
【０００８】
このように有機エレクトロルミネッセンス素子２１を形成すると、図６に示す矩形の有機エレクトロルミネッセンス素子の対向する辺上にそれぞれの電極の端子を設ける場合と比べて、素子の大きさを、例えば図６における長さＡ分、すなわち端子一つの長さ分、小さくすることができる。
【０００９】
また、図６に示す有機エレクトロルミネッセンス素子と比べて、同一の大きさの基板の上に配置可能な有機エレクトロルミネッセンス層の大きさ（面積）を大きくできる。具体的には、端子２５’が設けられている領域も有効表示領域にする、すなわち有機エレクトロルミネッセンス層を設けることが可能になるからである。
【００１０】
さらに、図６に示す有機エレクトロルミネッセンス素子とは異なり、外部導出端子が有機エレクトロルミネッセンス素子の一辺上に設けられているため、有機エレクトロルミネッセンス素子の一方の側でのみ配線を行えばすむ。したがって、図５（ｂ）に示す陽極用の端子２５と陰極用の端子２５’を外部駆動回路と接続するためのコネクタ等を設け、このコネクタ等をこれらの端子に差し込むだけで配線作業を完了させる、ということも可能になる。また、外部駆動回路と有機エレクトロルミネッセンス素子２１との間の配線が携帯端末等に占める面積や体積を、図６に示す素子よりも小さくすることも可能になる。
【特許文献１】特開平７−２１１４５９号公報（明細書の段落［０００５］〜［０００６］、［０００９］、図１、図３）
【発明の開示】
【発明が解決しようとする課題】
【００１１】
しかしながら、端子を発光領域の一辺上に配置すると、有機エレクトロルミネッセンス層を構成する各点に流れる電流の大きさが、端子に近い側では大きくなり、端子から遠い側では小さくなってしまうという問題が生じる。この問題は、陽極と陰極の少なくとも一方の電極が、その体積抵抗率を無視できない程度に大きくせざるを得ないことに起因して生じる。
【００１２】
前記したように、有機エレクトロルミネッセンス素子は、有機エレクトロルミネッセンス層を基準にして少なくとも一方の側から光を取り出す必要がある。したがって、光取出側に設けられる電極は、上記光に対する透過性を備えていなければならず、また、有機エレクトロルミネッセンス層を変質させない／変質させにくいといった性質も求められるため、採用できる材料が極めて限定されてしまう。そのため、一般に、光取出側に設けられる電極は、他方の電極と比べて体積抵抗率の高い物質により構成せざるを得ない。
【００１３】
以上の理由により、陽極の端子から近い箇所で有機エレクトロルミネッセンス層を介して陰極の発光領域へ通じる経路は抵抗値が小さくなり、陽極端子から遠い箇所で陰極の発光領域へ通じる経路は抵抗値が大きくなる。言い換えれば、有機エレクトロルミネッセンス層を構成する各点に流れる電流が、陽極の端子から遠ければ遠いほど少なくなってしまう。これにより、例えば以下のような問題が生じる場合もあった。
【００１４】
・輝度むらの発生。
電流が多く流れる箇所と少なくしか流れない箇所とが存在するために、素子全体として輝度むらが生じる。有機エレクトロルミネッセンス素子の輝度は、流れる電流が大きくなるほど高くなるため、電流が多く流れる箇所と少なくしか流れない箇所が存在すると両者の間に輝度の差が生じ、輝度むらとなるためである。
【００１５】
・素子内における寿命差の発生。
電流が多く流れる箇所と少なくしか流れない箇所とで、素子の寿命が変わってしまう。一般に、流れる電流の多い部分は寿命が短くなる。このため、電流が均一に流れる素子と比べると、寿命の短い箇所が存在してしまい、有機エレクトロルミネッセンス素子としての寿命が短くなってしまう。また、長期間使用していると、光らない箇所ができてしまったり、他の箇所に比べて輝度が低い箇所ができてしまったりする。
【００１６】
・変質等の問題。
電流が多く流れる箇所と少なくしか流れない箇所とが存在するため、場所によって変質してしまう場合がある。
【００１７】
・色度むらの発生。
電流が多く流れる箇所と少なくしか流れない箇所とがあるため、素子内において、蛍光材料を用いた有機エレクトロルミネッセンス素子ではＳ−Ｓアニヒレーション現象が発生したり、燐光材料を用いた有機エレクトロルミネッセンス素子ではＴ−Ｔアニヒレーション現象が発生したりする。したがって、発光層に複数の発光材料を含有させて、各発光材料が少なくとも他の一つの発光材料とは異なる波長の色を発する有機エレクトロルミネッセンス素子では、電流が流れやすい場所と流れにくい場所とで、各層の輝度が異なってしまう場合があり、結果として色度のむらが発生してしまう場合がある。
【００１８】
したがって、単に端子を表示領域の一辺上に設けるだけでは以上のような問題が生じてしまい、有機エレクトロルミネッセンス素子として実際上使用することは困難であった。
【００１９】
本発明は上記問題に鑑みなされたものであり、その目的は、端子部が発光領域の一辺上に存在する有機エレクトロルミネッセンス素子において、有機エレクトロルミネッセンス層を構成する各点を流れる電流の大きさの差が小さい有機エレクトロルミネッセンス素子を提供することにある。
【００２０】
また、本願発明者らは、上記有機エレクトロルミネッセンス素子の提供に当たり、有機エレクトロルミネッセンス層を構成する各点を流れる電流の大きさの差を小さくするための、発光領域に対する端子部の好適な相関関係を見いだした。すなわち、有機エレクトロルミネッセンス層を構成する各点を流れる電流の大きさの差が小さい有機エレクトロルミネッセンス素子の提供を第二の目的とする。
【課題を解決するための手段】
【００２１】
上記目的を達成するために、本発明に係る第一の有機エレクトロルミネッセンス素子は、第一電極と第二電極と、当該両電極に狭持された有機エレクトロルミネッセンス層とを有する素子であって、各電極が以下のように構成されている。
・第一電極は、第二電極を形成する物質よりも体積抵抗率が高い物質で形成されている。
・第一電極及び第二電極は、それぞれ、有機エレクトロルミネッセンス層に接する発光領域と、発光領域から突設された端子とを有している。
・各発光領域は、それぞれ、有機エレクトロルミネッセンス層を挟んで対応する位置に、概略直線で構成された辺を外周に有している。すなわち、有機エレクトロルミネッセンス層の法線方向から眺めた際に、位置が概略一致する（重なって見える）辺が存在する。
・一電極及び第二電極の各端子は、それぞれ、エレクトロルミネッセンス層を挟んで対応する位置にある一つの辺上に突設されている。すなわち、前記したように法線方向から眺めた際に位置が概略一致する辺上に各端子が突設されている。
・第一電極における発光領域と端子との境界の長さが、第二電極における発光領域と端子との境界の長さよりも長い。
【００２２】
第一の有機エレクトロルミネッセンス素子は、各発光領域の形状が、それぞれ概略矩形であってもよい。
【００２３】
第一の有機エレクトロルミネッセンス素子は、第一電極の端子と第二電極の端子とが、当該端子が突設された発光領域の一つの辺上において交互に配置されていてもよい。
このように構成する場合には、端子が突設された発光領域の一つの辺上において、第一電極の端子が両端に配置されているとよい。
【００２４】
本発明に係る第二の有機エレクトロルミネッセンス素子は、第一電極と第二電極と、該両電極に狭持された有機エレクトロルミネッセンス層とを有する有機エレクトロルミネッセンス素子であって、各電極は以下のように構成されている。
・第一電極は、第二電極を形成する物質よりも体積抵抗率が高い物質で形成されている。
・第一電極及び第二電極は、それぞれ、前記有機エレクトロルミネッセンス層に接する発光領域と、前記発光領域から突設された端子とを有している。
・第一電極における発光領域と端子との境界の長さが、第二電極における発光領域と端子との境界の長さよりも長い。
【００２５】
第一〜第二の有機エレクトロルミネッセンス素子は、第一電極が陽極であってもよい。
また、第一電極に補助電極が設けられていてもよい。
【発明の効果】
【００２６】
本発明によれば、端子部が発光領域の一辺上に存在する有機エレクトロルミネッセンス素子において、有機エレクトロルミネッセンス層を構成する各点を流れる電流の大きさの差が小さい有機エレクトロルミネッセンス素子を提供できる。
【００２７】
また、有機エレクトロルミネッセンス層を構成する各点を流れる電流の大きさの差が小さい有機エレクトロルミネッセンス素子を提供できる。
【発明を実施するための最良の形態】
【００２８】
以下、本発明の実施の形態に係る第一の有機エレクトロルミネッセンス素子（以下、適宜、単に「有機エレクトロルミネッセンス素子」と表記する。）を図１及び図２に基づいて説明する。図１は有機エレクトロルミネッセンス素子１１の模式分解斜視図、図２は有機エレクトロルミネッセンス素子１１の模式断面図である。
【００２９】
［第一の有機エレクトロルミネッセンス素子１１］
図１及び図２に示すように、有機エレクトロルミネッセンス素子１１は、第１電極としての陽極１３、有機エレクトロルミネッセンス層１４、第２電極としての陰極１５が順に積層され、一般には基板１２の一方の面上に積層された有機エレクトロルミネッセンスデバイスの形をとっている。陽極１３（少なくとも陽極の発光領域１３１）は、陰極１５（少なくとも陰極の発光領域１５１）よりも体積抵抗率の高い物質により構成されている。
以下、各構成要素について詳細に説明する。
【００３０】
《基板１２》
基板１２は、有機エレクトロルミネッセンス素子１１を支える、主として板状の部材である。有機エレクトロルミネッセンス素子１１は、構成する各層が非常に薄いため、一般に基板１２によって支えられた有機エレクトロルミネッセンスデバイスとして作製される。
【００３１】
基板１２は、有機エレクトロルミネッセンス素子１１が積層される部材であるため、平面平滑性を有していることが好ましい。
また、基板１２は、有機エレクトロルミネッセンス層１４よりも光取り出し側にある場合には取り出す光に対して透明とされる。
【００３２】
なお、本実施の形態において「透明」とは、有機エレクトロルミネッセンス素子１１から外部へ出射する光に対する透過性を有していることを言う。一般には、本実施の形態に係る「透明な部材」は、上記光に対して透過率が５０％以上、好ましくは７０％以上になるように設定される。
【００３３】
基板１２としては、上記した性能を有していれば公知のものを用いることができる。一般には、ガラス基板やシリコン基板、石英基板などのセラミックス基板や、プラスチック基板が選択される。また、金属基板や支持体に金属箔を形成した基板なども用いられる。さらに、同種又は異種の基板を複数組み合わせた複合シートからなる基板を用いることもできる。
【００３４】
《陽極１３》
陽極１３は、有機エレクトロルミネッセンス層１４に正孔を注入する電極であり、図１に示すように、陽極の発光領域１３１と陽極の端子１３２とを有する。
【００３５】
陽極の発光領域１３１は、有機エレクトロルミネッセンス層１４と接する領域であり、矩形に設計される。陽極の発光領域１３１は、使用時において、陽極の端子１３２に接続された外部駆動回路から正孔（ホール）が輸送され、この正孔を有機エレクトロルミネッセンス層１４に注入する。
【００３６】
陽極の端子１３２は、陽極の発光領域１３１と一体的に形成され、図１に示すように、陽極の発光領域１３１の一辺の外側に突設されている。つまり、陽極の端子１３２は、陽極の発光領域１３１と、両者の境界１３３において電気的に直接接続されている。
【００３７】
本実施の形態においては、図１に示すように、陽極の端子として、陽極の発光領域１３１の一辺上に二つの陽極の端子１３２，１３２’が設けられている。陽極の端子１３２，１３２’は、陽極の発光領域１３１の一辺上において、両端側に設けられており、それぞれ概略同一の形状とされている。つまり、陽極の端子１３２，１３２’と陽極の発光領域１３１との境界１３３の長さＬａ１と、境界１３３’の長さＬａ２とはそれぞれほぼ同じ長さにされている。
【００３８】
陽極の端子１３２，１３２’は、使用時に、図示しない外部駆動回路の端子と接続され、当該外部駆動回路から輸送された正孔を陽極の発光領域１３１へ輸送する。
なお、陽極の端子１３２，１３２’は、外部駆動回路の端子と少なくとも一部で接続されればよく、全域に渡って接続される必要はない。
【００３９】
陽極１３形成用の材料は、上記した性質を陽極１３に付与する材料であればよく、一般には金属、合金、電気伝導性の化合物及びこれらの混合物等、公知の材料が選択され、陽極の発光領域１３１の有機エレクトロルミネッセンス層１４と接する面（表面）の仕事関数が４ｅＶ以上になるように製造される。
【００４０】
陽極１３形成用の材料としては、例えば以下のものを挙げることができる。
ＩＴＯ（インジウム−スズ−オキサイド）、ＩＺＯ（インジウム−亜鉛−オキサイド）、酸化スズ，酸化亜鉛、亜鉛アルミニウム酸化物、窒化チタン等の金属酸化物や金属窒化物；金、白金、銀、銅、アルミニウム、ニッケル、コバルト、鉛、クロム、モリブデン、タングステン、タンタル、ニオブ等の金属；これらの金属の合金やヨウ化銅の合金等、ポリアニリン、ポリチオフェン、ポリピロール、ポリフェニレンビニレン、ポリ（３−メチルチオフェン）、ポリフェニレンスルフィド等の導電性高分子など。
【００４１】
陽極１３は、有機エレクトロルミネッセンス層１４よりも光取り出し側に設けられる場合には、一般に、取り出す光に対する透過率が１０％よりも大きくなるように設定される。可視光領域の光を取り出す場合には、可視光領域で透過率の高いＩＴＯが好適に用いられる。
反射性電極として用いられる場合には、以上のような材料の内、外部へ取り出す光を反射する性能を備えた材料が適宜選択され、一般には金属や合金、金属化合物が選択される。
【００４２】
陽極１３は、上記したような材料一種のみで形成してもよく、複数を混合して形成してもよい。また、同一組成又は異種組成の複数層からなる複層構造であってもよい。
陽極１３の抵抗が高い場合には、補助電極を設けて抵抗を下げるとよい。補助電極は、銅、クロム、アルミニウム、チタン、アルミニウム合金等の金属もしくはこれらの積層物が陽極１３に部分的に併設された電極である。
【００４３】
陽極１３、特に陽極の発光領域１３１の膜厚は、使用する材料にもよるが、一般に５ｎｍ〜１μｍ程度、好ましくは１０ｎｍ〜１μｍ程度、さらに好ましくは１０ｎｍ〜５００ｎｍ程度、特に好ましくは１０ｎｍ〜３００ｎｍ程度、望ましくは１０ｎｍ〜２００ｎｍの範囲で選択される。
【００４４】
陽極１３は、上記したような材料を用いて、スパッタリング法やイオンプレーティング法、真空蒸着法、スピンコート法、電子ビーム蒸着法などの公知の薄膜形成法によって形成される。
【００４５】
また、表面を、ＵＶオゾン洗浄やプラズマ洗浄してもよい。
有機エレクトロルミネッセンス素子の短絡や欠陥の発生を抑制するためには、粒径を微小化する方法や成膜後に研磨する方法により、表面の粗さを二乗平均値として２０ｎｍ以下に制御するとよい。
【００４６】
《有機エレクトロルミネッセンス層１４》
有機エレクトロルミネッセンス層１４は、公知の有機エレクトロルミネッセンス素子における公知の層構成及び公知の材料の層にすればよく、公知の製造方法によって製造できる。すなわち、有機エレクトロルミネッセンス層１４は、少なくとも以下の機能を実現できればよく、積層構造とし、各層にそれぞれいずれかの機能を担わせてもよく、単層により下記機能を実現してもよい。
・電子注入機能
電極（陰極）から電子を注入される機能。電子注入性。
・正孔注入機能
電極（陽極）から正孔（正孔）を注入される機能。正孔注入性。
・キャリア輸送機能
電子及び正孔の少なくとも一方を輸送する機能。キャリア輸送性。
電子を輸送する機能は電子輸送機能（電子輸送性）と言い、正孔を輸送する機能は正孔輸送機能（正孔輸送性）と言う。
・発光機能
注入・輸送された電子及びキャリアを再結合させて励起子を発生させ（励起状態となり）、基底状態に戻る際に光を発する機能。
【００４７】
したがって、有機エレクトロルミネッセンス層１４は、陽極の発光領域１３１と接する面及び陰極の発光領域１５１と接する面とに挟まれた領域（発光領域）が上記機能によって発光する。この発光する領域が、前記した有効表示領域となる。
【００４８】
一般には、有機エレクトロルミネッセンス層１４は、陽極の発光領域１３１の面上に、当該領域と概略同一の大きさで同一の形状に設けられる。本実施の形態においては、陽極の発光領域１３１上に、当該領域と同一の大きさで同一の形状（矩形）の有機エレクトロルミネッセンス層１４が設けられている。
【００４９】
有機エレクトロルミネッセンス層１４は、例えば、陽極１３側から正孔輸送層、発光層、電子輸送層の順に層を設けて有機エレクトロルミネッセンス層１４を構成してもよい。
【００５０】
正孔輸送層は、陽極１３から発光層へ正孔を輸送する層である。正孔輸送層形成用の材料としては、例えば、銅フタロシアニン、テトラ（ｔ−ブチル）銅フタロシアニン等の金属フタロシアニン類及び無金属フタロシアニン類、キナクリドン化合物、１，１−ビス（４−ジ−ｐ−トリルアミノフェニル）シクロヘキサン、Ｎ，Ｎ’−ジフェニル−Ｎ，Ｎ’−ビス（３−メチルフェニル）−１，１’−ビフェニル−４，４’−ジアミン、Ｎ，Ｎ’−ジ（１−ナフチル）−Ｎ，Ｎ’−ジフェニル−１，１’−ビフェニル−４，４’−ジアミン等の芳香族アミンなどの低分子材料や、ポリチオフェン、ポリアニリン等の高分子材料、ポリチオフェンオリゴマー材料、その他既存の正孔輸送材料の中から選ぶことができる。
【００５１】
発光層は、陽極１３側から輸送された正孔と陰極１５側から輸送された電子とを再結合させて励起状態となり、励起状態から基底状態へ戻る際に光を発する層である。発光層の材料としては、蛍光材料や燐光材料を採用することができる。また、ホスト材中にドーパント（蛍光材料や燐光材料）を含有させてもよい。
【００５２】
発光層形成用の材料としては、例えば、９，１０−ジアリールアントラセン誘導体、ピレン誘導体、コロネン誘導体、ペリレン誘導体、ルブレン誘導体、１，１，４，４−テトラフェニルブタジエン、トリス（８−キノリノラート）アルミニウム錯体、トリス（４−メチル−８−キノリノラート）アルミニウム錯体、ビス（８−キノリノラート）亜鉛錯体、トリス（４−メチル−５−トリフルオロメチル−８−キノリノラート）アルミニウム錯体、トリス（４−メチル−５−シアノ−８−キノリノラート）アルミニウム錯体、ビス（２−メチル−５−トリフルオロメチル−８−キノリノラート）［４−（４−シアノフェニル）フェノラート］アルミニウム錯体、ビス（２−メチル−５−シアノ−８−キノリノラート）［４−（４−シアノフェニル）フェノラート］アルミニウム錯体、トリス（８−キノリノラート）スカンジウム錯体、ビス〔８−（パラ−トシル）アミノキノリン〕亜鉛錯体及びカドミウム錯体、１，２，３，４−テトラフェニルシクロペンタジエン、ペンタフェニルシクロペンタジエン、ポリ−２，５−ジヘプチルオキシ−パラ−フェニレンビニレン、クマリン系蛍光体、ペリレン系蛍光体、ピラン系蛍光体、アンスロン系蛍光体、ポルフィリン系蛍光体、キナクリドン系蛍光体、Ｎ，Ｎ’−ジアルキル置換キナクリドン系蛍光体、ナフタルイミド系蛍光体、Ｎ，Ｎ’−ジアリール置換ピロロピロール系蛍光体等の低分子材料や、ポリフルオレン、ポリパラフェニレンビニレン、ポリチオフェン等の高分子材料、その他既存の発光材料を用いることができる。ホスト／ゲスト型の構成を採用する場合には、これらの材料の中から適宜ホスト及びゲスト（ドーパント）を選択すればよい。
【００５３】
電子輸送層は、陰極１５から発光層へ電子を輸送する層である。電子輸送層形成用の材料としては、例えば、２−（４−ビフィニルイル）−５−（４−ｔ−ブチルフェニル）−１，３，４−オキサジアゾール、２，５−ビス（１−ナフチル）−１，３，４−オキサジアゾール及びオキサジアゾール誘導体やビス（１０−ヒドロキシベンゾ［ｈ］キノリノラート）ベリリウム錯体、トリアゾール化合物等が挙げられる。
【００５４】
なお、有機エレクトロルミネッセンス層１４には、バッファ層や正孔ブロック層、電子注入層、正孔注入層等の公知の有機エレクトロルミネッセンス層に採用されうる層を設けることも当然に可能である。これらの層も、公知の材料を用いて公知の製法によって設けることができる。
【００５５】
《陰極１５》
図１に示すように、陰極１５は、陰極の発光領域１５１と陰極の端子１５２とを備え、両者は一体形成されている。
【００５６】
陰極の発光領域１５１は、有機エレクトロルミネッセンス層１４に対して、陽極の発光領域１３１とは反対側に設けられ、一般には有機エレクトロルミネッセンス層１４とほぼ同一の大きさで同一形状とされる。本実施の形態においては、有機エレクトロルミネッセンス層１４、つまり陽極の発光領域１３１と、同一の大きさで同一形状（矩形）に設計されている。換言すれば、陰極の発光領域１５１は、陽極の発光領域１３１の外周における辺１３４と対応する位置に辺１５４を有している。
このように、陰極の発光領域１５１は、有機エレクトロルミネッセンス層１４の陽極の発光領域１３１と接する面とは反対側の面に積層され、使用時おいて、陰極の端子１５２に接続された外部駆動回路から電子が輸送され、この電子を有機エレクトロルミネッセンス層１４に注入する。
【００５７】
陰極の端子１５２は、陰極の発光領域１５１の、陽極の発光領域１３１における陽極の端子１３２が突設されている辺１３４と対応する辺１５４から外部に突設されている。つまり、端子１５２が突設されている側は、有機エレクトロルミネッセンス素子１１において、陽極の端子１３２が突設されている側と同じ側である。
【００５８】
本実施の形態においては、陰極の端子１５２は一つ設けられており、陽極の端子１３２と同一の大きさかつ同一形状である。したがって、陰極の発光領域１５１との境界１５３の長さＬｃは、境界１３３の長さＬａ１と同一である。
したがって、陽極の端子１３２，１３２’と陽極の発光領域１３１との境界１３３の長さＬａ１及び境界１３３’の長さＬａ２の合計（Ｌａ１＋Ｌａ２）は、陰極の端子１５２と陰極の発光領域１５１との境界１５３の長さＬｃよりも長く、本実施形態では二倍に設計されている。
【００５９】
また、図１に示すように、有機エレクトロルミネッセンス素子１１が組み立てられた際、陰極の端子１５２は、基板１２上に配置される。また、陽極の端子１３２，１３２’の間に、これらと電気的に接続しない位置に配置されている。つまり、陽極の端子１３２，１３２’と陰極の端子１５２とが、発光領域１３１（１５１）の一辺１３４（１５４）上において交互に配置され、かつ、当該辺１３４の両端に陽極の端子１３２，１３２’が配置されている。
【００６０】
陰極の端子１５２は、使用時において、図示しない外部駆動回路と接続され、当該回路から輸送された電子を陰極の発光領域１５１へ輸送する。
なお、陰極の端子１５２は、外部駆動回路の端子と少なくとも一部において接続していればよく、全域に渡って接続している必要はない。
【００６１】
陰極１５は、有機エレクトロルミネッセンス層１４（上記層構成では電子輸送層）に電子を注入する電極であり、電子注入効率を高くするために仕事関数が例えば４．５ｅＶ未満、一般には４．０ｅＶ以下、典型的には３．７ｅＶ以下の金属や合金、電気伝導性化合物及びこれらの混合物が電極物質として採用される。
【００６２】
以上のような電極物質としては、例えば、リチウム、ナトリウム、マグネシウム、金、銀、銅、アルミニウム、インジウム、カルシウム、スズ、ルテニウム、チタニウム、マンガン、クロム、イットリウム、アルミニウム−カルシウム合金、アルミニウム−リチウム合金、アルミニウム−マグネシウム合金、マグネシウム−銀合金、マグネシウム−インジウム合金、リチウム−インジウム合金、ナトリウム−カリウム合金、マグネシウム／銅混合物、アルミニウム／酸化アルミニウム混合物などが挙げられる。また、陽極１３に用いられる材料として採用できる材料も使用できる。
【００６３】
陰極１５は、発光層よりも光取り出し側に設けられる場合には、一般に、取り出す光に対する透過率が１０％よりも大きくなるように設定され、例えば、超薄膜のマグネシウム−銀合金に透明な導電性酸化物を積層化して形成された電極などが採用される。また、この陰極において、導電性酸化物をスパッタリングする際に発光層などがプラズマにより損傷するのを防ぐため、銅フタロシアニンなどを添加したバッファ層を陰極１５と有機エレクトロルミネッセンス層１４との間に設けるとよい。
【００６４】
光反射性電極として用いられる場合には、以上のような材料の内、外部へ取り出す光を反射する性能を備えた材料が適宜選択され、一般には金属や合金、金属化合物が選択される。
【００６５】
陰極１５は、以上のような材料単独で形成してもよいし、複数の材料によって形成してもよい。例えば、マグネシウムに銀や銅を５％〜１０％添加させれば、陰極１５の酸化を防止でき、また陰極１５の有機エレクトロルミネッセンス層１４との接着性も高くなる。
【００６６】
また、陰極１５は、同一組成又は異種組成の複数層からなる複層構造であってもよい。
例えば以下のような構造にしてもよい。
・陰極１５の酸化を防ぐため、陰極１５の有機エレクトロルミネッセンス層１４と接しない部分に、耐食性のある金属からなる保護層を設ける。
この保護層形成用の材料としては例えば銀やアルミニウムなどが好ましく用いられる。
【００６７】
・陰極１５の仕事関数を小さくするために、陰極１５と有機エレクトロルミネッセンス層１４との界面部分に仕事関数の小さな酸化物やフッ化物、金属化合物等を挿入する。
例えば、陰極１５の材料をアルミニウムとし、界面部分にフッ化リチウムや酸化リチウムを挿入したものも用いられる。
【００６８】
陰極１５は、真空蒸着法、スパッタリング法、イオン化蒸着法、イオンプレーティング法、電子ビーム蒸着法などの公知の薄膜成膜法によって形成できる。
次に、上記のように構成された有機エレクトロルミネッセンス素子１１の作用について説明する。
【００６９】
《作用》
有機エレクトロルミネッセンス素子１１の陽極の端子１３２，１３２’と陰極の端子１５２に外部駆動回路が接続されると、陽極の端子１３２，１３２’から陽極の発光領域１３１に正孔が輸送される。一方、陰極の発光領域１５１には、陰極の端子１５２から電子が輸送される。
【００７０】
有機エレクトロルミネッセンス層１４には、陽極の発光領域１３１から正孔が注入され、陰極の発光領域１５１から電子が注入される。そして、正孔及び電子の少なくとも一方が輸送されて両者が再結合し、励起状態を生成し、発光材料が励起状態となる。発光材料は、基底状態に戻る際に光を発する。
次いで、有機エレクトロルミネッセンス素子１１により生じる効果について説明する。
【００７１】
《効果》
有機エレクトロルミネッセンス素子１１は、上記構成を備えているために、下記（効果１）乃至（効果６）の効果を奏する。
【００７２】
（効果１）有機エレクトロルミネッセンス層１４を構成する各点に流れる電流の大きさの差が、従来の素子よりも小さくなる（その１）。
有機エレクトロルミネッセンス素子１１では、陰極１５の体積抵抗率が陽極１３の体積抵抗率よりも十分に小さい、無数に存在する電流経路（陽極の端子１３２，１３２’〜陽極の発光領域１３１〜有機エレクトロルミネッセンス層１４〜陰極の発光領域１５１〜陰極の端子１５２）における抵抗値を考慮する際には、陽極１３について検討すればよい。すなわち、陰極１５における抵抗値については無視することができる。
【００７３】
有機エレクトロルミネッセンス素子１１では、陽極の発光領域１３１を通る距離が短い経路であればあるほど、その経路の抵抗値が小さくなる。したがって、陽極の端子１３２近傍においては有機エレクトロルミネッセンス層１４を流れる電流は多くなり、陽極の端子１３２から離れた位置になればなるほど有機エレクトロルミネッセンス層１４を流れる電流は少なくなる。
【００７４】
一方、有機エレクトロルミネッセンス素子１１は、陽極の端子１３２，１３２’と陽極の発光領域１３１との境界１３３，１３３’の長さＬａ１，Ｌａ２の合計（Ｌａ１＋Ｌａ２）が、陰極の端子１５２と陰極の発光領域１５１との境界１５３の長さＬｃよりも長い。そのため、図５や図６に示すような陽極の端子と陽極の発光領域との境界の長さが短い有機エレクトロルミネッセンス素子２１と比べて、発光領域における端子から最も遠い位置までの距離が短くなる。つまり、有機エレクトロルミネッセンス素子１１の方が、最も抵抗値の大きな経路の抵抗値が小さくなる。
【００７５】
最も抵抗値の小さな経路は、有機エレクトロルミネッセンス素子１１も従来の素子も、陽極用の端子近傍で有機エレクトロルミネッセンス層１４へ至る経路であり、その抵抗値はほぼゼロと考えることができる。
【００７６】
したがって、有機エレクトロルミネッセンス素子１１は、従来の素子と比べて、抵抗値の最大差が小さくなる。そのため、有機エレクトロルミネッセンス層１４を構成する各点に流れる電流の大きさの差が、従来の素子よりも小さくなる。
【００７７】
この効果は、すなわち、体積抵抗率の高い電極における発光領域と端子部との境界の長さが、体積抵抗率の低い電極における発光領域と端子部との境界の長さよりも長いために得られるものである。以下の効果２及び効果６についても同様である。
【００７８】
（効果２）電極全体の抵抗値を小さくできる。
体積抵抗率の大きい物質で形成された陽極において、発光領域と端子との境界が長くしてあるため、陽極の端子から有機エレクトロルミネッセンス層までの全体としての抵抗値を小さくできる。
陰極を形成する物質の体積抵抗率は十分小さいため、発光領域と端子との境界が短くても、端子から有機エレクトロルミネッセンス層までの全体としての抵抗値に及ぼす影響は陽極に比べて十分小さい。このため、有機エレクトロルミネッセンス素子を構成する電極全体としての抵抗値が小さくなる。その結果、電極における電力損失が小さくなり、有機エレクトロルミネッセンス素子の電力効率が向上する。
【００７９】
（効果３）有機エレクトロルミネッセンス素子１１を小型化できる。
有機エレクトロルミネッセンス素子１１は、前記したように陽極用の端子１３２及び陰極用の端子１５２が、発光領域１３１，１５１及び有機エレクトロルミネッセンス層１４の一辺側に突設されている。
したがって、発光領域１３１，１５１の大きさを一定とした場合、図６に示すような発光領域の一辺側に端子が突設されていない有機エレクトロルミネッセンス素子と比べて、素子の大きさを小さくすることができる。図６に示す有機エレクトロルミネッセンス素子との比較では、端子一つ分（図６における長さＡだけ）、素子及び基板を小さくすることができる。
【００８０】
また、端子１３２，１３２’，１５２が発光領域１３１，１５１の一辺側に突設されているため、図６に示すような端子が発光領域の一辺側に突設されていない有機エレクトロルミネッセンス素子と比べて、外部駆動回路と各端子１３２，１３２’，１５２との間の配線の長さを短くすることも可能になる。
【００８１】
（効果４）同一の大きさの基板を用いた際、有機エレクトロルミネッセンス層１４の大きさ（発光領域１３１や１５１の大きさ）を大きくできる。
有機エレクトロルミネッセンス素子１１は、端子１３２，１３２’，１５２が発光領域１３１，１５１の一辺側に突設されているため、端子が発光領域の一辺側のみに突設されていない有機エレクトロルミネッセンス素子と比べて、発光領域１３１，１５１、ひいては有機エレクトロルミネッセンス層１４の大きさを大きくできる。つまり、有効表示領域を大きくできる。図６に示す有機エレクトロルミネッセンス素子との比較では、当該素子の端子一つ分（図６における長さＡ分）、発光領域１３１，１５１の面積を広げることが可能になる。
【００８２】
（効果５）有機エレクトロルミネッセンス素子１１と外部駆動回路との接続を容易にできる。
有機エレクトロルミネッセンス素子１１は、端子１３２，１３２’，１５２が発光領域１３１，１５１の一辺側に突設されているため、例えば図６に示すように複数の辺側に端子が突設された素子と比べて外部駆動回路との接続・配線を容易にすることができる。また、発光領域１３１，１５１の一方の側でのみ配線を行えばすむため、陽極用の端子１３２，１３２’と陰極用の端子１５２とを外部駆動回路に接続するためのコネクタ等を設け、このコネクタ等をこれらの端子に差し込むだけで配線作業を完了させる、ということも可能になる。
【００８３】
（効果６）有機エレクトロルミネッセンス層１４を構成する各点に流れる電流の大きさの差が、従来の素子よりも小さくなる（その２）。
有機エレクトロルミネッセンス素子１１のように陽極の端子１３２，１３２’が複数設けられているため、上記効果１欄に記した効果が、端子が一つしか設けられていない素子よりもより得られる。
【００８４】
陽極の発光領域１３１における陽極の端子から最も遠い位置までの距離は、陽極の端子が陽極の発光領域１３１の一辺上に複数突設されている素子の方が、陽極の端子が一辺上に一つしか設けられていない素子よりも短くなる。したがって、前者の方が、抵抗値の最大差が小さくなり、有機エレクトロルミネッセンス層１４を構成する各点に流れる電流の大きさの差がより小さくなる。
【００８５】
有機エレクトロルミネッセンス素子１１は、上記効果１及び効果６を奏するために、さらに、下記（効果ａ）〜（効果ｄ）の効果を奏することも可能になる。
【００８６】
（効果ａ）輝度むらの抑制。
有機電界発光素子の輝度は、流れる電流が大きくなるほど高くなるため、電流が多く流れる箇所と少なくしか流れない箇所とが存在すると輝度の差が生じ、輝度むらとなる。一方、有機エレクトロルミネッセンス素子１１は、前記したように、電流経路の抵抗値の差が従来よりも小さくできる。したがって、有機エレクトロルミネッセンス層１４において、電流が多く流れる箇所と少なくしか流れない箇所との電流値の差を従来よりも小さくできる。そのため、素子全体として輝度むらを小さくすることが可能になる。
【００８７】
（効果ｂ）素子の長寿命化。
一般に、流れる電流の多い部分は寿命が短くなる。一方、有機エレクトロルミネッセンス素子１１は、前記したように、有機エレクトロルミネッセンス層１４において、電流が多く流れる箇所と少なくしか流れない箇所との電流値の差を従来よりも小さくできる。このため、電流の流れる量に起因して、素子の寿命が長くなる箇所と短くなる箇所との寿命差を小さなものにすることも可能になる。
【００８８】
（効果ｃ）素子の変質防止。
有機エレクトロルミネッセンス素子１１は、前記したように、有機エレクトロルミネッセンス層１４において、電流が多く流れる箇所と少なくしか流れない箇所との電流値の差を従来よりも小さくできる。そのため、電流の流れる量に起因して、素子が変質しやすい場所と変質しにくい場所との変質の度合いの差を小さなものにすることも可能になる。
【００８９】
（効果ｄ）色度むらの抑制。
例えば、赤色に発光する層（赤色発光層）、青色に発光する層（青色発光層）及び緑色に発光する層（緑色発光層）を積層して白色を表現するような、有機エレクトロルミネッセンス層に複数の発光材料を含有させて、複数の波長の光を発する有機エレクトロルミネッセンス素子における色度むらを抑制することができる。このような有機エレクトロルミネッセンス素子では、有機エレクトロルミネッセンス層に流れる電流の大きさが変わると、発光材料ごとに輝度が変わってしまう。すなわち、素子としての発光色（色度）が変わってしまう（Ｓ−Ｓアニヒレーション現象、Ｔ−Ｔアニヒレーション現象）。
しかし、有機エレクトロルミネッセンス素子１１は、前記したように、有機エレクトロルミネッセンス層１４において、電流が多く流れる箇所と少なくしか流れない箇所との電流値の差を従来よりも小さくできる。したがって、以上の現象を抑制することが可能になる。すなわち、色度むらを抑制することが可能になる。
【００９０】
《変形例》
有機エレクトロルミネッセンス素子１１は、以下のように変形することもできる。また、各変形例が互いに矛盾しない範囲内で、それぞれの変形例を組み合わせて具現化することもできる。
【００９１】
（変形例１）
陽極の端子１３２と陽極の発光領域１３１との境界１３３の長さＬａ１と、陽極の端子１３２’と陽極の発光領域１３１との境界の長さＬａ２とは異なっていてもよい。つまり、有機エレクトロルミネッセンス素子１１は、陽極の端子と陽極の発光領域との境界の合計長さが、陰極の端子と陰極の発光領域との境界の合計長さよりも長ければよい。
同様に、陽極の端子１３２と陽極の発光領域１３１との境界１３３の長さＬａ１と、陰極の端子１５２と陰極の発光領域１５１との境界１５３の長さＬｃとは異なっていても、上記した要件を満たしてさえいればよい。すなわち、体積抵抗率の高い電極における発光領域と端子部との境界の長さが、体積抵抗率の低い電極における発光領域と端子部との境界の長さよりも長ければよい。
【００９２】
（変形例２）
陽極の端子１３２や陰極の端子１５２の形状は、矩形に限定されず、少なくともそれぞれの発光領域と接する箇所が概略直線であればよい。
なお、概略直線とは、例えば一部に曲線を有していたり、全体が曲線であったりしても、実質的に直線とみなすことができる線（辺）のことを言う。
したがって、陽極の端子１３２の総面積が陰極の端子１５２の総面積よりも小さくても、上記した要件を備えていればよい。
【００９３】
（変形例３）
陽極の発光領域１３１や陰極の発光領域１５１は、厳密な矩形でなくてもよい。例えば、角取りされた矩形や、角が丸められた矩形などの形状であってもよい。
なお、発光領域の角を角取りしたり丸めたりすると、角に電力が集中する現象を緩和することも可能になる。
【００９４】
（変形例４）
陽極の発光領域１３１や陰極の発光領域１５１は、矩形でなくてもよく、少なくとも端子が突設されている箇所（辺）が直線であり、かつ、両者のこの辺が有機エレクトロルミネッセンス層１４を挟んで概略対応する位置にあればよい。
なお、概略対応する位置とは、有機エレクトロルミネッセンス層１４の厚さ方向の中心を通る面を基準の面とした際に、概略対象の位置に存在することを言う。
【００９５】
（変形例５）
陰極の発光領域１５１の大きさを陽極の発光領域１３１の大きさよりも小さくしてもよい。このように、後から積層する電極の発光領域の大きさを小さくすると、両電極の短絡が生じにくくなる。
【００９６】
（変形例６）
有機エレクトロルミネッセンス層１４の周囲に絶縁層を設け、陽極の発光領域１３１と陰極の発光領域１５１とが短絡してしまうことを防止してもよい。例えば、陽極の発光領域１３１を設け、その上に有機エレクトロルミネッセンス層１４を設けた後、有機エレクトロルミネッセンス層１４の周囲を、好ましくはこの製造段階において陽極の発光領域１３１が外部に露出しないように絶縁層を設け、その後陰極の発光領域１５１を設けてもよい。陽極の発光領域１３１を設けた後、その周囲を覆うように絶縁層を設け、次いで有機エレクトロルミネッセンス層１４及び陰極の発光領域１５１を設けてもよい。
【００９７】
絶縁部形成用の材料としては、公知の有機エレクトロルミネッセンス素子に採用される絶縁部形成用の材料を適宜採用することができ、例えば、ＳｉＯ２、ＳｉＯＮ、Ａｌ２Ｏ３、Ｓｉ３Ｎ４、ＳｉＡｌＯＮ、Ｙ２Ｏ３、ＢａＴｉＯ３、Ｓｍ２Ｏ３、ＢａＴａ２Ｏ６、Ｔａ２Ｏ５、ＡＴＯ、Ａｌ２Ｏ３−ＴｉＯ２、ＳｒＴｉＯ３、ＰｂＴｉＯ３等を挙げることができる。形成方法も公知の形成方法を採用でき、例えばスパッタ法、電子線蒸着法、ＣＶＤ法等を採用することができる。
【００９８】
（変形例７）
図３に示すように、陽極の発光領域１３１と電気的に接続するように補助電極を設けてもよい。
図３（ａ）に示すように、陽極の発光領域１３１において、端子１３２が突設された側と反対側に補助電極１８を配置すれば、補助電極１８を配置した近傍の陽極全体の体積抵抗率が下がるため、これらの箇所における有機エレクトロルミネッセンス層１４に、より電流が流れやすくなる。したがって、前記した効果をより得ることができる。
【００９９】
図３（ｂ）に示すように、陽極の端子１３２，１３２’と電気的に接続された補助電極１８，１９を設ければ、補助電極１８，１９が設けられた近傍の陽極の発光領域１３１の電位が陽極の端子１３２，１３２’の電位に近くなるため、前記した効果をより得ることも可能になる。
【０１００】
補助電極は、陽極１３よりも体積抵抗率の小さい物質を用い、公知の補助電極形成法を用いて形成すればよい。補助電極に用いることができる材料としては、例えば、クロム、銀、銀系合金、銅、アルミニウム、アルミニウム系合金、ニッケル、ニッケル系合金、モリブデン、タングステン、金等が挙げられる。
【０１０１】
（変形例８）
陽極の端子１３２を一つだけにしてもよい。この場合であっても、図４（ａ）に示すように、陽極の端子１３２と陽極の発光領域１３１との境界１３３の長さＬａ１を、陰極の端子１５２と陰極の発光領域１５１との境界１５３の長さＬｃよりも長くすれば、上記（効果１）〜（効果５）や（効果ａ）〜（効果ｄ）といった効果を奏する。
【０１０２】
（変形例９）
陽極の端子を三つ以上設けたり、陰極の端子を二つ以上設けたりしてもよい。例えば図４（ｂ）に示すように、三つの陽極の端子１３２，１３２’，１３２”を設け、二つの陰極の端子１５２，１５２’を設けてもよい。この場合であっても、陽極の端子１３２，１３２’，１３２”と陽極の発光領域１３１の境界１３３，１３３’，１３３”の長さＬａ１，Ｌａ２，Ｌａ３の合計（Ｌａ１＋Ｌａ２＋Ｌａ３）が、陰極の端子１５２，１５２’と陰極の発光領域１５１の境界１５３，１５３’の長さＬｃ１，Ｌｃ２の合計（Ｌｃ１＋Ｌｃ２）よりも長くなるようにすれば、上記（効果１）〜（効果５）や（効果ａ）〜（効果ｄ）といった効果を奏する。さらに、図４（ｂ）に示すように、陽極の端子１３２，１３２’，１３２”と陰極の端子１５２，１５２’とを交互に設けたり、陽極の端子１３２，１３２”が最も外側に配置されたりするようにすれば、上記（効果６）の効果をより得ることができる。
【０１０３】
（変形例１０）
有機エレクトロルミネッセンス層１４等を外気から保護するために、有機エレクトロルミネッセンス素子１１をパッシベーション膜や封止缶によって保護してもよい。この際、陽極の端子１３２，１３２’，１３２”及び陰極の端子１５２，１５２’は、素子外部に露出するように保護する必要がある。
【０１０４】
パッシベーション膜は、有機エレクトロルミネッセンス素子１１が酸素や水分と接触するのを防止するために基板と反対側に設けられる保護層（封止層）である。パッシベーション膜に使用する材料としては、例えば、有機高分子材料、無機材料、さらには光硬化性樹脂などを挙げることができ、保護層に使用する材料は、単独で使用してもよく、あるいは複数併用してもよい。保護層は、一層構造であってもよく、また多層構造であってもよい。パッシベーション膜の膜厚は、外部からの水分やガスを遮断できる厚さであればよい。
【０１０５】
有機高分子材料の例としては、クロロトリフルオロエチレン重合体、ジクロロジフルオロエチレン重合体、クロロトリフルオロエチレン重合体とジクロロジフルオロエチレン重合体との共重合体等のフッ素系樹脂、ポリメチルメタクリレート、ポリアクリレート等のアクリル系樹脂、エポキシ樹脂、シリコン樹脂、エポキシシリコーン樹脂、ポリスチレン樹脂、ポリエステル樹脂、ポリカーボネート樹脂、ポリアミド樹脂、ポリイミド樹脂、ポリアミドイミド樹脂、ポリパラキシレン樹脂、ポリエチレン樹脂、ポリフェニレンオキサイド樹脂などを挙げることができる。
【０１０６】
無機材料としては、ポリシラザン、ダイヤモンド薄膜、アモルファスシリカ、電気絶縁性ガラス、金属酸化物、金属窒化物、金属炭素化物、金属硫化物などを挙げることができる。
【０１０７】
封止缶は、外部からの水分や酸素を遮断するために、基板１２とは反対側に設けられる、封止板、封止容器等の封止部材により構成される部材である。封止缶は、背面側の電極側（基板１２とは反対側）のみに設置しても、有機エレクトロルミネッセンス素子１１全体を覆ってもよい。封止部材の厚さは、有機エレクトロルミネッセンス素子１１を封止でき外部の空気を遮断することができれば、封止部材の形状、大きさ、厚さ等は特に限定されない。封止部材に用いる材料としては、ガラス、ステンレススチール、金属（アルミニウム等）、プラスチック（ポリクロロトリフルオロエチレン、ポリエステル、ポリカーボネート等）、セラミック等が使用できる。
【０１０８】
封止部材を有機エレクトロルミネッセンス素子１１に設置する際には、適宜封止剤（接着剤）を用いてもよい。有機エレクトロルミネッセンス素子１１全体を封止部材で覆う場合は、封止剤を用いずに封止部材同士を熱融着してもよい。封止剤としては紫外線硬化樹脂、熱硬化樹脂、二液型硬化樹脂等が使用可能である。
【０１０９】
なお、パッシベーション膜や封止缶と有機エレクトロルミネッセンス素子１１との間の空間に水分吸収剤を挿入してもよい。水分吸収剤は特に限定されず、具体例としては酸化バリウム、酸化ナトリウム、酸化カリウム、酸化カルシウム、硫酸ナトリウム、硫酸カルシウム、硫酸マグネシウム、五酸化リン、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等が挙げられる。
【０１１０】
また、パッシベーション膜や封止缶内に不活性なガスを封入してもよい。不活性なガスとは、有機エレクトロルミネッセンス素子１１と反応しないガスのことを言い、例えばヘリウム、アルゴン等の希ガスや窒素ガスを採用することができる。
【０１１１】
（変形例１１）
上記した各例では、陽極１３を一体構成で作製した例を示したが、陽極１３の各構成要素をそれぞれ別個に作製して組み合わせて陽極１３を構成してもよい。また、陰極１５の各構成要素をそれぞれ別個に作製してもよい。
【０１１２】
（変形例１２）
有機エレクトロルミネッセンス素子１１を、全面発光する構成ではなく、複数の素子をマトリックス状に配置してもよい。この場合、パッシブマトリックス制御法やアクティブマトリックス制御法等を用い、有機エレクトロルミネッセンス素子を用いて画像を表示できるようにしてもよい。
【０１１３】
（変形例１３）
上記例では、陽極の方が陰極よりも体積抵抗率の高い材料により構成されている例を示したが、陰極の方が陽極よりも体積抵抗率が高い場合には、陰極に上記した処理を施せばよい。
また、上記例では、基板側の電極が他方の電極よりも体積抵抗率の高い材料により構成されている例を示したが、他方の電極の方が基板側の電極よりも体積抵抗率が高い場合には、他方の電極に上記した処理を施せばよい。
【０１１４】
（変形例１４）
陽極の端子１３２と陰極の端子１５２とを、両者の間に絶縁層を挟んで積層することもできる。このように構成すれば、陽極の端子１３２と陽極の発光領域１３１との境界１３３の長さをより長くすることが可能となり、前記した効果をより得ることも可能になる。
次に、本実施の形態に係る第二の有機エレクトロルミネッセンス素子について、図７〜図８を参照しながら説明する。図７は、第二の有機エレクトロルミネッセンス素子３１の模式平面図であり、図８は、第二の有機エレクトロルミネッセンス素子３１の別の形態に係る模式平面図である。なお、図７及び図８では、図１〜図６と同等若しくは類似の構成要素については、これらの図における符号と同一の符号を付した。
【０１１５】
［第二の有機エレクトロルミネッセンス素子３１］
第二の有機エレクトロルミネッセンス素子３１は、第一電極かつ透明電極としての陽極と、第二電極としての陰極と、両電極に狭持された有機エレクトロルミネッセンス層とを有する有機エレクトロルミネッセンス素子３１である。そして、各電極は以下のように構成されている。
・陽極は、陰極を形成する物質よりも体積抵抗率が高い物質で形成されている。
・陽極は、図７に示すように、有機エレクトロルミネッセンス層に接する陽極の発光領域１３１と、陽極の発光領域１３１から突設された陽極の端子１３２とを有している。
・陰極は、図７に示すように、有機エレクトロルミネッセンス層に接する陰極の発光領域１５１と、陰極の発光領域１５１から突設された陰極の端子１５２とを有している。
・図７に示すように、陽極の発光領域１３１と陽極の端子１３２との境界の長さＬａが、陰極の発光領域１５１と陰極の端子１５２との境界の長さＬｃよりも長い。
【０１１６】
図７に示すように、陽極の端子１３１及び陰極の端子１５１は、概略矩形の発光領域における同一辺上に設けられていない（突設されていない）点が、第一の有機エレクトロルミネッセンス素子１１と異なる。
【０１１７】
第二の有機エレクトロルミネッセンス素子３１は、第一の有機エレクトロルミネッセンス素子１１と同様の作用により光を発する。また、第一の有機エレクトロルミネッセンス素子１１と同様に、体積抵抗率の高い電極における発光領域１３１と端子１３２との境界の長さＬａが、体積抵抗率の低い電極における発光領域１５１と端子１５２との境界の長さＬｃよりも長いため、前記した効果１、効果２並びに効果６、及び効果ａ乃至効果ｄなどと同等の効果を奏する。
【０１１８】
なお、第二の有機エレクトロルミネッセンス素子３１は、その本旨に反しない限り、第一の有機エレクトロルミネッセンス素子１１と同様に変形することができ、また、公知の有機エレクトロルミネッセンス素子に採用され得る構成を選択することができる。
【０１１９】
例えば、陽極の端子及び陰極の端子は、それぞれ複数設けられていてもよい。この場合、それぞれの端子と発光領域との境界の長さを加算した合計長さが、陰極における合計長さよりも陽極における合計長さの方が長くなればよい。図８に示す例では、陽極の端子１３２、１３２’と陽極の発光領域１３１との境界の長さＬａ１及びＬａ２を加算した長さ（Ｌａ１＋Ｌａ２）が、陰極の端子１５２、１５２’と陰極の発光領域１５１との境界の長さＬｃ１及びＬｃ２を加算した長さ（Ｌｃ１＋Ｌｃ２）よりも長く設定される。
また、発光領域と端子との境界は概略直線である必要はない。
当然、陰極を陽極よりも体積抵抗率が高い材料で構成した有機エレクトロルミネッセンス素子に、第二の有機エレクトロルミネッセンス素子３１に係る技術思想を適用することもできる。
【図面の簡単な説明】
【０１２０】
【図１】一実施の形態の有機エレクトロルミッセンス素子の模式分解斜視図。
【図２】有機エレクトロルミッセンス素子の模式断面図。
【図３】別の実施の形態の有機エレクトロルミッセンス素子の模式平面図。
【図４】別の実施の形態の第１端子部、第１電極及び第２端子部の関係を示す模式平面図。
【図５】（ａ）は従来技術の有機エレクトロルミッセンス素子の模式分解斜視図、（ｂ）は有機エレクトロルミッセンス素子の模式平面図。平面図。
【図６】別の従来技術の有機エレクトロルミッセンス素子の模式平面図。
【図７】本実施の形態に係る第二の有機エレクトロルミネッセンス素子の模式平面図。
【図８】本実施の形態に係る別の第二の有機エレクトロルミネッセンス素子の模式平面図。
【符号の説明】
【０１２１】
１１…第一の有機エレクトロルミネッセンス素子、１３…第一電極としての陽極、１４…有機エレクトロルミネッセンス層、１５…第二電極としての陰極、１８，１９…補助電極、３１…第二の有機エレクトロルミネッセンス素子、１３２，１３２’，１３２”，１５２，１５２’…端子、１３１，１５１…発光領域、１３３，１３３’，１５３…境界、１３４，１５４…辺。
【図１】
2005100916.tif 000003
【図２】
2005100916.tif 000004
【図３】
2005100916.tif 000005
【図４】
2005100916.tif 000006
【図５】
2005100916.tif 000007
【図６】
2005100916.tif 000008
【図７】
2005100916.tif 000009
【図８】
2005100916.tif 000010